(57)【要約】      （修正有）【課題】離型紙の製造プロセスへの迅速なフィードバックおよび歩留まりの向上を図ることができる離型紙製造装置および離型紙製造方法を提供する。【解決手段】離型紙製造装置（具体的には、工程離型紙製造装置）は、コーティング部３０により形成された工程離型紙８６を当該工程離型紙８６の搬送方向と平行に切断し、工程離型紙８６の一部を連続的に分離させる切断分離部４０と、切断分離部４０により分離させられた工程離型紙の端縁部８８の剥離力を連続的に検出する剥離力検出器６０と、を備え、前記剥離力検出部において、前記切断分離部により分離させられた前記離型紙の一部に粘着テープを付着させた後に当該離型紙の一部から前記粘着テープを剥離させ、剥離した後の前記粘着テープの張力に基づき、前記離型紙の剥離力を検出し、インラインで離型紙の剥離力を、離型紙の製造プロセスへの迅速なフィードバックを行う離型紙製造装置。【選択図】図１
2014224329.tif 000002
【特許請求の範囲】
【請求項１】
連続的に搬送される帯状の基材に対してエンボス加工を行い当該基材に凹凸柄を形成するエンボス部と、
前記エンボス部により凹凸柄が形成された前記基材上に離型剤を塗布して当該基材上に離型層を積層させることにより離型紙を形成する離型剤供給部と、
前記離型剤供給部により形成された前記離型紙を当該離型紙の搬送方向と平行に切断し、前記離型紙の一部を連続的に分離させる切断分離部と、
前記切断分離部により分離させられた前記離型紙の一部の剥離力を連続的に検出する剥離力検出部と、
を備えた、離型紙製造装置。
【請求項２】
前記剥離力検出部において、前記切断分離部により分離させられた前記離型紙の一部に粘着テープを付着させた後に当該離型紙の一部から前記粘着テープを剥離させるようになっており、
前記剥離力検出部は、前記離型紙の一部から剥離した後の前記粘着テープの張力に基づいて、前記切断分離部により分離させられた前記離型紙の一部の剥離力を検出する、請求項１記載の離型紙製造装置。
【請求項３】
前記剥離力検出部は、前記切断分離部により分離させられた前記離型紙の一部の搬送方向に沿って複数設けられている、請求項２記載の離型紙製造装置。
【請求項４】
前記離型剤供給部の制御を行う制御部を更に備え、
前記制御部は、前記離型紙の一部から剥離した後の前記粘着テープの張力に基づいて、前記離型剤供給部により前記基材上に塗布される前記離型剤の塗布量を調整する、請求項２または３記載の離型紙製造装置。
【請求項５】
前記制御部は、前記離型紙の一部から剥離した後の前記粘着テープの張力が予め設定された閾値以下であるときには前記離型剤供給部により前記基材上に塗布される前記離型剤の塗布量を予め設定された所定値とし、前記離型紙の一部から剥離した後の前記粘着テープの張力が前記閾値よりも大きい場合には前記離型剤供給部により前記基材に塗布される前記離型剤の塗布量を前記所定値よりも大きくする、請求項４記載の離型紙製造装置。
【請求項６】
前記切断分離部によりその一部が分離させられた後の前記離型紙の残余部を巻き取る排紙ロールおよび不良品の離型紙を巻き取るための予備ロールを含む排紙機構を更に備え、
前記離型紙の一部から剥離した後の前記粘着テープの張力が予め設定された閾値よりも大きくなった場合には、前記排紙機構において前記離型紙の残余部が巻き取られるロールを前記排紙ロールから前記予備ロールに切り替える、請求項２乃至５のいずれか一項に記載の離型紙製造装置。
【請求項７】
前記排紙機構において前記離型紙の残余部が巻き取られるロールが前記排紙ロールから前記予備ロールに切り替えられた後、前記離型紙の一部から剥離した後の前記粘着テープの張力が予め設定された閾値よりも小さくなった場合には、前記排紙機構において前記離型紙の残余部が巻き取られるロールを前記予備ロールから前記排紙ロールに再び切り替える、請求項６記載の離型紙製造装置。
【請求項８】
連続的に搬送される帯状の基材に対してエンボス加工を行い当該基材に凹凸柄を形成する工程と、
凹凸柄が形成された前記基材上に離型剤を塗布して当該基材上に離型層を積層させることにより離型紙を形成する工程と、
形成された前記離型紙を当該離型紙の搬送方向と平行に切断し、前記離型紙の一部を連続的に分離させる工程と、
分離させられた前記離型紙の一部の剥離力を連続的に検出する工程と、
を備えた、離型紙製造方法。
【請求項９】
分離させられた前記離型紙の一部の剥離力を検出する工程において、分離させられた前記離型紙の一部に粘着テープを付着させた後に当該離型紙の一部から前記粘着テープを剥離させるようになっており、
前記離型紙の一部から剥離した後の前記粘着テープの張力に基づいて、分離させられた前記離型紙の一部の剥離力を検出する、請求項８記載の離型紙製造方法。
【請求項１０】
前記離型紙の一部から剥離した後の前記粘着テープの張力に基づいて、前記基材上に塗布される前記離型剤の塗布量を調整する、請求項９記載の離型紙製造方法。
【請求項１１】
その一部が分離させられた後の前記離型紙の残余部を巻き取る排紙ロールおよび不良品の離型紙を巻き取るための予備ロールを含む排紙機構が設けられており、
前記離型紙の一部から剥離した後の前記粘着テープの張力が予め設定された閾値よりも大きくなった場合には、前記排紙機構において前記離型紙の残余部が巻き取られるロールを前記排紙ロールから前記予備ロールに切り替える、請求項９または１０記載の離型紙製造方法。
【発明の詳細な説明】
【技術分野】
【０００１】
本発明は、合成皮革における種々の凹凸絵柄を必要な量に応じて形成することが可能な離型紙の製造装置および製造方法に関する。
【背景技術】
【０００２】
合成皮革の製造方法として、従来から種々の方法が用いられており、例えば、染色する方法、グラビアコーターやナイフコーターで処理する方法、工程離型紙を使用する方法等がある。このうち工程離型紙を使用する方法は、離型性を有する面に所望の凹凸パターンを形成した工程離型紙を予め準備し、この工程離型紙の離型層上に合成皮革の原料樹脂（例えば、ポリウレタン等）を塗布し、乾燥・固化した後に剥離するものである。このような工程離型紙としては、例えば、特許文献１等に開示されるものが知られている。
【０００３】
また、工程離型紙の離型性の評価方法として、特許文献２には、試験片に粘着テープを付着させた後、この粘着テープを所定の剥離速度、剥離角度にて試験片から引き剥がし、その際の剥離力を検出するような方法が開示されている。
【先行技術文献】
【特許文献】
【０００４】
【特許文献１】特開平１１−１４０７７８号公報
【特許文献２】特開平５−２４９０２７号公報
【発明の概要】
【発明が解決しようとする課題】
【０００５】
特許文献２に開示されるような従来の剥離試験方法では、工程離型紙が製造された後に、オフラインにて実験装置を用いて工程離型紙の離型性の評価を行うため、工程離型紙の性能を把握するのに時間がかかってしまい、工程離型紙の製造プロセスへのフィードバックが遅れてしまうという問題がある。具体的には、工程離型紙の離型性が悪い場合には、一から工程離型紙を作り直さなければならないという問題がある。
【０００６】
本発明は、このような点を考慮してなされたものであり、離型紙の一部を連続的に分離し、分離させられた離型紙の一部の剥離力を連続的に検出することにより、インラインで離型紙の剥離性能を評価することができ、離型紙の製造プロセスへの迅速なフィードバックおよび歩留まりの向上を図ることができる離型紙製造装置および離型紙製造方法を提供することを目的とする。
【課題を解決するための手段】
【０００７】
本発明の離型紙製造装置は、連続的に搬送される帯状の基材に対してエンボス加工を行い当該基材に凹凸柄を形成するエンボス部と、前記エンボス部により凹凸柄が形成された前記基材上に離型剤を塗布して当該基材上に離型層を積層させることにより離型紙を形成する離型剤供給部と、前記離型剤供給部により形成された前記離型紙を当該離型紙の搬送方向と平行に切断し、前記離型紙の一部を連続的に分離させる切断分離部と、前記切断分離部により分離させられた前記離型紙の一部の剥離力を連続的に検出する剥離力検出部と、を備えている。
【０００８】
このような離型紙製造装置によれば、連続的に搬送される離型紙を当該離型紙の搬送方向と平行に切断し、離型紙の一部を連続的に分離させ、分離させられた離型紙の一部の剥離力を連続的に検出するようになっている。このことにより、インラインで離型紙の剥離性能を評価することができ、離型紙の製造プロセスへの迅速なフィードバックおよび歩留まりの向上を図ることができる。
【０００９】
本発明の離型紙製造装置においては、前記剥離力検出部において、前記切断分離部により分離させられた前記離型紙の一部に粘着テープを付着させた後に当該離型紙の一部から前記粘着テープを剥離させるようになっており、前記剥離力検出部は、前記離型紙の一部から剥離した後の前記粘着テープの張力に基づいて、前記切断分離部により分離させられた前記離型紙の一部の剥離力を検出するようになっていてもよい。
【００１０】
この際に、前記剥離力検出部は、前記切断分離部により分離させられた前記離型紙の一部の搬送方向に沿って複数設けられていてもよい。
【００１１】
本発明の離型紙製造装置は、前記離型剤供給部の制御を行う制御部を更に備え、前記制御部は、前記離型紙の一部から剥離した後の前記粘着テープの張力に基づいて、前記離型剤供給部により前記基材上に塗布される前記離型剤の塗布量を調整するようになっていてもよい。
【００１２】
この際に、前記制御部は、前記離型紙の一部から剥離した後の前記粘着テープの張力が予め設定された閾値以下であるときには前記離型剤供給部により前記基材上に塗布される前記離型剤の塗布量を予め設定された所定値とし、前記離型紙の一部から剥離した後の前記粘着テープの張力が前記閾値よりも大きい場合には前記離型剤供給部により前記基材に塗布される前記離型剤の塗布量を前記所定値よりも大きくするようになっていてもよい。
【００１３】
本発明の離型紙製造装置は、前記切断分離部によりその一部が分離させられた後の前記離型紙の残余部を巻き取る排紙ロールおよび不良品の離型紙を巻き取るための予備ロールを含む排紙機構を更に備え、前記離型紙の一部から剥離した後の前記粘着テープの張力が予め設定された閾値よりも大きくなった場合には、前記排紙機構において前記離型紙の残余部が巻き取られるロールを前記排紙ロールから前記予備ロールに切り替えるようになっていてもよい。
【００１４】
この際に、前記排紙機構において前記離型紙の残余部が巻き取られるロールが前記排紙ロールから前記予備ロールに切り替えられた後、前記離型紙の一部から剥離した後の前記粘着テープの張力が予め設定された閾値よりも小さくなった場合には、前記排紙機構において前記離型紙の残余部が巻き取られるロールを前記予備ロールから前記排紙ロールに再び切り替えるようになっていてもよい。
【００１５】
本発明の離型紙製造方法は、連続的に搬送される帯状の基材に対してエンボス加工を行い当該基材に凹凸柄を形成する工程と、凹凸柄が形成された前記基材上に離型剤を塗布して当該基材上に離型層を積層させることにより離型紙を形成する工程と、形成された前記離型紙を当該離型紙の搬送方向と平行に切断し、前記離型紙の一部を連続的に分離させる工程と、分離させられた前記離型紙の一部の剥離力を連続的に検出する工程と、を備えている。
【００１６】
このような離型紙製造方法によれば、連続的に搬送される離型紙を当該離型紙の搬送方向と平行に切断し、離型紙の一部を連続的に分離させ、分離させられた離型紙の残余部の剥離力を連続的に検出するようになっている。このことにより、インラインで離型紙の剥離性能を評価することができ、離型紙の製造プロセスへの迅速なフィードバックおよび歩留まりの向上を図ることができる。
【００１７】
本発明の離型紙製造方法においては、分離させられた前記離型紙の一部の剥離力を検出する工程において、分離させられた前記離型紙の一部に粘着テープを付着させた後に当該離型紙の一部から前記粘着テープを剥離させるようになっており、前記離型紙の一部から剥離した後の前記粘着テープの張力に基づいて、分離させられた前記離型紙の一部の剥離力を検出するようになっていてもよい。
【００１８】
本発明の離型紙製造方法においては、前記離型紙の一部から剥離した後の前記粘着テープの張力に基づいて、前記基材上に塗布される前記離型剤の塗布量を調整するようになっていてもよい。
【００１９】
本発明の離型紙製造方法においては、その一部が分離させられた後の前記離型紙の残余部を巻き取る排紙ロールおよび不良品の離型紙を巻き取るための予備ロールを含む排紙機構が設けられており、前記離型紙の一部から剥離した後の前記粘着テープの張力が予め設定された閾値よりも大きくなった場合には、前記排紙機構において前記離型紙の残余部が巻き取られるロールを前記排紙ロールから前記予備ロールに切り替えるようになっていてもよい。
【発明の効果】
【００２０】
本発明の離型紙製造装置および離型紙製造方法によれば、離型紙の製造プロセスへの迅速なフィードバックおよび歩留まりの向上を図ることができる。
【図面の簡単な説明】
【００２１】
【図１】本発明の実施の形態による工程離型紙製造装置の構成の概略を示す構成図である。
【図２】図１に示す工程離型紙製造装置におけるエンボス部の構成の詳細を示す斜視図である。
【図３】（ａ）は、エンボス部により凹凸柄が形成された基材の縦断面図であり、（ｂ）は、凹凸柄が形成された基材に離型層が積層された工程離型紙の縦断面図である。
【図４】図１に示す工程離型紙製造装置における切断分離部の構成の詳細を示す斜視図である。
【図５】図１に示す工程離型紙製造装置の制御部における、剥離力検出器の張力計により検出される粘着テープの張力と、コーティング部により基材に塗布されるべき離型剤の塗布量との関係を示すグラフである。
【図６】（ａ）〜（ｃ）は、排紙ロールおよび予備ロールを有する排紙機構の構成および動作を示す構成図である。
【発明を実施するための形態】
【００２２】
以下、図面を参照して本発明の実施の形態について説明する。図１乃至図６は、本実施の形態による工程離型紙製造装置および工程離型紙製造方法を示す図である。このうち、図１は、本実施の形態による工程離型紙製造装置の構成の概略を示す構成図であり、図２は、図１に示す工程離型紙製造装置におけるエンボス部の構成の詳細を示す斜視図である。また、図３（ａ）は、エンボス部により凹凸柄が形成された基材の縦断面図であり、図３（ｂ）は、凹凸柄が形成された基材に離型層が積層された工程離型紙の縦断面図である。また、図４は、図１に示す工程離型紙製造装置における切断分離部の構成の詳細を示す斜視図である。また、図５は、図１に示す工程離型紙製造装置の制御部における、剥離力検出器の張力計により検出される粘着テープの張力と、コーティング部により基材に塗布されるべき離型剤の塗布量との関係を示すグラフである。また、図６（ａ）〜図６（ｃ）は、排紙ロールおよび予備ロールを有する排紙機構の構成および動作を示す構成図である。
【００２３】
図１に示すように、本実施の形態の工程離型紙製造装置は、帯状の基材８０を連続的に供給する給紙ロール１０と、給紙ロール１０により連続的に供給される帯状の基材８０に対してエンボス加工を行い当該基材８０に凹凸柄を形成するエンボス部２０と、エンボス部２０により凹凸柄が形成された基材８２上に離型剤を塗布して当該基材８２上に離型層８４を積層させることにより工程離型紙８６を形成するコーティング部３０と、コーティング部３０により形成された工程離型紙８６を当該工程離型紙８６の搬送方向と平行に切断し、工程離型紙８６の一部を連続的に分離させる切断分離部４０と、切断分離部４０によりその一部が分離させられた後の工程離型紙の残余部８７を巻き取る排紙ロール５６および不良品の工程離型紙を巻き取るための予備ロール５８を有する排紙機構５０と、を備えている。また、本実施の形態の工程離型紙製造装置には、当該工程離型紙製造装置の各構成要素の制御を行う制御部７０が設けられている。また、本実施の形態の工程離型紙製造装置には、切断分離部４０により分離させられた工程離型紙の端縁部８８の剥離力を検出する剥離力検出器６０が設けられている。このような工程離型紙製造装置の各構成要素の詳細について以下に説明する。
【００２４】
給紙ロール１０は、クラフト紙、上質紙等の紙、プラスチックフィルム、金属箔、織布、不織布等、あるいはこれらの積層体からなる帯状の基材８０を連続的に巻き出すようになっている。
【００２５】
図２に示すように、エンボス部２０は、エンボスロール２２と、このエンボスロール２２に対向するよう設けられたバックアップロール２４とを有している。エンボスロール２２の外周面には凹凸形状を有するエンボス型面が設けられており、また、エンボスロール２２はバックアップロール２４に押圧されるよう配設されている。このことにより、エンボスロール２２とバックアップロール２４との間のニップ部を通過する基材８０に、エンボスロール２２の外周面にあるエンボス型面の凹凸柄が転写される。図３（ａ）に、エンボス部により凹凸柄が形成された基材８２の縦断面を示す。
【００２６】
コーティング部３０は、エンボス部２０により凹凸柄が形成された基材８２上に離型剤を塗布して当該基材８２上に離型層８４を積層させることにより図３（ｂ）に示すような縦断面の工程離型紙８６を形成するようになっている。コーティング部３０により基材８２上に積層される離型層８４としては、例えばアクリル系樹脂、ポリエチレン系樹脂、ポリプロピレン系樹脂、ポリメチルペンテン系樹脂、シリコーン系樹脂、アルキド系樹脂等の公知の熱可塑性樹脂を使用することができ、合成皮革用の樹脂との離型性を考慮して選定されるようになっている。また、コーティング部３０により基材８２上に塗布される離型剤の塗布量は、後述する制御部７０により調整されるようになっている。
【００２７】
図４に示すように、切断分離部４０は、円盤形状のスリッター４２と、このスリッター４２に対向するよう設けられたガイドロール４４とを有している。スリッター４２は図４における矢印方向に連続的に回転するようになっており、このスリッター４２により、連続的に搬送される工程離型紙８６はその端縁部が例えば５ｍｍ〜１０ｍｍ分だけ切断されるようになっている。スリッター４２によりその端縁部が分離させられた後の工程離型紙の残余部８７は、後述する排紙機構５０の排紙ロール５６により巻き取られ、工程離型紙の最終製品として出荷されるようになっている。また、スリッター４２により切断された工程離型紙の端縁部８８は、後述する剥離力検出器６０によりその剥離力が検出された後、排紙ロール６９により巻き取られるようになっている。なお、排紙ロール６９により巻き取られた工程離型紙の端縁部８８は廃棄されるようになっている。
【００２８】
図１に示すように、切断分離部４０により分離させられた工程離型紙の端縁部８８の剥離力を検出するための剥離力検出器６０は、工程離型紙の端縁部８８に粘着テープ６１を付着させた後に当該工程離型紙の端縁部８８から粘着テープ６１を剥離させるようになっており、この剥離力検出器６０は、工程離型紙の端縁部８８から剥離した後の粘着テープ６１の張力に基づいて、切断分離部４０により分離させられた工程離型紙の端縁部８８の剥離力を検出するようになっている。
【００２９】
より詳細には、剥離力検出器６０は、帯状の粘着テープ６１を連続的に巻き出す粘着テープ巻出ロール６２と、粘着テープ巻出ロール６２から巻き出された粘着テープ６１を工程離型紙の端縁部８８に付着させるよう当該粘着テープ６１の案内を行う第１の案内ロール６５と、工程離型紙の端縁部８８に付着している粘着テープ６１を当該工程離型紙の端縁部８８から剥離させるよう粘着テープ６１の案内を行う第２の案内ロール６６と、粘着テープ６１の張力を検出する張力計６８が設けられた第３の案内ロール６７と、粘着テープ６１の巻き取りを行う粘着テープ巻取ロール６４とを有している。ここで、粘着テープ巻出ロール６２における粘着テープ６１の巻き出し速度や粘着テープ巻取ロール６４における粘着テープ６１の巻き取り速度は一定の大きさに維持されるようになっている。また、粘着テープ巻取ロール６４の回転トルクも一定の大きさに維持されるようになっている。そして、剥離力検出器６０は、張力計６８により検出される粘着テープ６１の張力に基づいて、工程離型紙の端縁部８８の剥離力を検出するようになっている。ここで、工程離型紙の端縁部８８の剥離力の大きさが一定であれば、張力計６８により検出される粘着テープ６１の張力の大きさも一定となる。しかしながら、工程離型紙の端縁部８８の剥離力が低下した場合には（すなわち、離型層８４上に塗布された合成皮革の原料樹脂が剥離しにくい工程離型紙８６が製造プロセスにおいて形成されてしまった場合には）、張力計６８により検出される粘着テープ６１の張力が大きくなる。
【００３０】
なお、図１では、工程離型紙製造装置において１つの剥離力検出器６０のみが設けられた例が示されているが、本実施の形態では、切断分離部４０により分離させられた工程離型紙の端縁部８８の搬送方向に沿って剥離力検出器６０が複数設けられていてもよい。この場合には、複数の剥離力検出器６０により工程離型紙の端縁部８８の剥離力をそれぞれ検出することによって、繰り返し試験が可能となり、工程離型紙の端縁部８８の剥離力の検出精度を向上させることができる。
【００３１】
また、図１および図６に示すように、排紙機構５０は、ベース部５２と、回転軸５４ａを中心として回転自在にベース部５２に設けられた十字形状のアーム部５４と、十字形状のアーム部５４の先端部における回転軸５４ａを中心として対向する位置に設けられた排紙ロール５６および予備ロール５８と、十字形状のアーム部５４の先端部における排紙ロール５６や予備ロール５８以外の箇所に設けられた回転自在の案内ロール５９とを有している。ここで、前述したように、切断分離部４０のスリッター４２によりその端縁部が分離させられた後の工程離型紙の残余部８７は、排紙機構５０の排紙ロール５６により巻き取られ、工程離型紙の最終製品として出荷されるようになっている。また、製造プロセスにおいて不良品の工程離型紙が形成されてしまった場合には、この不良品の工程離型紙は排紙機構５０の予備ロール５８により巻き取られた後、廃棄されるようになっている。図６（ａ）〜（ｃ）は、排紙機構５０において工程離型紙の残余部８７が巻き取られるロールを排紙ロール５６から予備ロール５８に切り替える動作を順に示すものであるが、このような動作の詳細については後述する。
【００３２】
図１に示すように、本実施の形態の工程離型紙製造装置には、当該工程離型紙製造装置の各構成要素の制御を行う制御部７０が設けられている。この制御部７０は、剥離力検出器６０の張力計６８により検出される粘着テープ６１の張力に基づいて、コーティング部３０により基材８２上に塗布される離型剤の塗布量を調整するよう当該コーティング部３０の制御を行うようになっている。より詳細には、制御部７０は、図５に示すようなグラフに基づいて、剥離力検出器６０の張力計６８により検出される粘着テープ６１の張力から、コーティング部３０により基材８２上に塗布される離型剤の塗布量を算出する。
【００３３】
より具体的に説明すると、図５に示すように、制御部７０は、工程離型紙の端縁部８８から剥離した後の粘着テープ６１の張力が予め設定された閾値ａ以下であるときにはコーティング部３０により基材８２上に塗布される離型剤の塗布量を予め設定された所定値Ｖとし、一方、工程離型紙の端縁部８８から剥離した後の粘着テープ６１の張力が閾値ａよりも大きい場合にはコーティング部３０により基材８２上に塗布される離型剤の塗布量を所定値Ｖよりも大きくするようになっている。このことにより、製造プロセスにおいて工程離型紙８６の離型性が悪化した場合でも、コーティング部３０により基材８２上に塗布される離型剤の塗布量を増やすことにより、工程離型紙８６の離型性を良くすることができるようになる。また、工程離型紙の端縁部８８から剥離した後の粘着テープ６１の張力が閾値ａ以下である場合には、工程離型紙８６の離型性は良好であると考えられるため、コーティング部３０により基材８２上に塗布される離型剤の塗布量を変化させる必要がない。
【００３４】
なお、切断分離部４０により分離させられた工程離型紙の端縁部８８の搬送方向に沿って剥離力検出器６０が複数設けられている場合には、制御部７０は、複数の剥離力測定器６０のうち最も上流側にある剥離力検出器６０の張力計６８により検出される粘着テープ６１の張力に基づいて、コーティング部３０により基材８２に塗布される離型剤の塗布量を調整する。
【００３５】
また、本実施の形態の工程離型紙製造装置では、制御部７０は、工程離型紙の端縁部８８から剥離した後の粘着テープ６１の張力が予め設定された閾値（例えば、図５における閾値ａ）よりも大きくなった場合には、図６（ａ）〜（ｃ）に示すような動作に従って、排紙機構５０において工程離型紙の残余部８７が巻き取られるロールを排紙ロール５６から予備ロール５８に切り替えるようになっている。なお、排紙機構５０において工程離型紙の残余部８７が巻き取られるロールを排紙ロール５６から予備ロール５８に切り替える際に用いられる閾値は、コーティング部３０により基材８２に塗布される離型剤の塗布量を所定値Ｖよりも大きくする際の閾値ａと同じ値であってもよく、あるいは異なる値であってもよい。
【００３６】
より具体的に説明すると、制御部７０は、工程離型紙の端縁部８８から剥離した後の粘着テープ６１の張力が予め設定された閾値（例えば、図５における閾値ａ）よりも大きくなった場合には、排紙機構５０のアーム部５４を図６（ａ）に示す状態から１８０°回転させ、図６（ｂ）に示す状態を経て図６（ｃ）に示す状態とする。その後、図６（ｃ）に示すように排紙ロール５６に巻き取られる工程離型紙の残余部８７をカッター５１により切断することによって、それ以降の工程離型紙の残余部８７は予備ロール５８により巻き取られるようになる。このことにより、製造プロセスにおいて工程離型紙８６の離型性が悪化した場合でも、不良品としての工程離型紙は予備ロール５８により巻き取られるため、このような不良品としての工程離型紙が出荷されてしまうことを防止することができる。
【００３７】
また、制御部７０は、排紙機構５０において工程離型紙の残余部８７が巻き取られるロールを排紙ロール５６から予備ロール５８に切り替えた後、工程離型紙の端縁部８８から剥離した後の粘着テープ６１の張力が予め設定された閾値よりも下回るようになった場合には、排紙機構５０において工程離型紙の残余部８７が巻き取られるロールを予備ロール５８から排紙ロール５６に再び切り替える。このことにより、製造プロセスにおいて工程離型紙８６の離型性が良くなった場合に、この工程離型紙８６を排紙ロール５６に巻き取らせることによって最終製品として出荷することができるようになり、歩留まりの向上を図ることができる。なお、工程離型紙の残余部８７が巻き取られるロールを予備ロール５８から排紙ロール５６に再び切り替える際の粘着テープ６１の張力の閾値は、工程離型紙の残余部８７が巻き取られるロールを排紙ロール５６から予備ロール５８に切り替える際の粘着テープ６１の張力の閾値と同じ値であってもよく、あるいは前者が後者よりも小さくなっていてもよい。
【００３８】
以上のように本実施の形態の工程離型紙製造装置および工程離型紙製造方法によれば、連続的に搬送される工程離型紙８６を当該工程離型紙８６の搬送方向と平行に切断し、工程離型紙８６の端縁部を連続的に分離させ、分離させられた工程離型紙の端縁部８８の剥離力を連続的に検出するようになっている。このことにより、インラインで工程離型紙８６の剥離性能を評価することができ、工程離型紙８６の製造プロセスへの迅速なフィードバックおよび歩留まりの向上を図ることができる。
【００３９】
また、本実施の形態の工程離型紙製造装置および工程離型紙製造方法においては、前述したように、分離させられた工程離型紙の端縁部８８に粘着テープ６１を付着させた後に当該工程離型紙の端縁部８８から粘着テープ６１を剥離させるようになっており、工程離型紙の端縁部８８から剥離した後の粘着テープ６１の張力に基づいて、分離させられた工程離型紙の端縁部８８の剥離力を検出するようになっている。このことにより、連続的に搬送される工程離型紙の端縁部８８の剥離力をシンプルな構成により検出することができるようになる。
【００４０】
また、本実施の形態の工程離型紙製造装置および工程離型紙製造方法においては、前述したように、工程離型紙の端縁部８８から剥離した後の粘着テープ６１の張力に基づいて、コーティング部３０により基材８２上に塗布される離型剤の塗布量を調整するようになっている。このことにより、製造プロセスにおいて工程離型紙８６の離型性が悪化した場合でも、コーティング部３０により基材８２上に塗布される離型剤の塗布量を増やすことにより、工程離型紙８６の離型性を良くすることができるようになる。
【００４１】
また、本実施の形態の工程離型紙製造装置および工程離型紙製造方法においては、前述したように、工程離型紙の端縁部８８から剥離した後の粘着テープ６１の張力が予め設定された閾値よりも大きくなった場合には、排紙機構５０において工程離型紙の残余部８７が巻き取られるロールを排紙ロール５６から予備ロール５８に切り替えるようになっている。このことにより、製造プロセスにおいて工程離型紙８６の離型性が悪化した場合でも、不良品としての工程離型紙は予備ロール５８により巻き取られるため、このような不良品としての工程離型紙が出荷されてしまうことを防止することができる。
【００４２】
なお、本実施の形態による工程離型紙製造装置および工程離型紙製造方法は、上述したような態様に限定されることはなく、様々な変更を加えることができる。
【００４３】
例えば、切断分離部４０により分離させられた工程離型紙の端縁部８８の剥離力を検出する剥離力検出器６０は、図１に示すような構成のものに限定されることはない。工程離型紙の端縁部８８の剥離力を連続的に検出することができるものであれば、工程離型紙の端縁部８８に粘着テープ６１を付着させた後に当該工程離型紙の端縁部８８から粘着テープ６１を剥離させるような構成以外のものを剥離力検出器６０として用いてもよい。
【００４４】
また、連続的に搬送される工程離型紙８６を当該工程離型紙８６の搬送方向と平行に切断し、工程離型紙８６の一部を連続的に分離させる切断分離部４０は、図４に示すような構成のものに限定されることはない。連続的に搬送される工程離型紙８６を当該工程離型紙８６の搬送方向と平行に切断することができるものであれば、円盤形状のスリッター４２以外のものを切断分離部４０として用いてもよい。
【符号の説明】
【００４５】
１０  給紙ロール
２０  エンボス部
２２  エンボスロール
２４  バックアップロール
３０  コーティング部
４０  切断分離部
４２  スリッター
４４  ガイドロール
５０  排紙機構
５１  カッター
５２  ベース部
５４  アーム部
５４ａ  回転軸
５６  排紙ロール
５８  予備ロール
５９  案内ロール
６０  剥離力検出器
６１  粘着テープ
６２  粘着テープ巻出ロール
６４  粘着テープ巻取ロール
６５  第１の案内ロール
６６  第２の案内ロール
６７  第２の案内ロール
６８  張力計
６９  排紙ロール
７０  制御部
８０  基材
８２  凹凸柄が形成された基材
８４  離型層
８６  工程離型紙
８７  工程離型紙の残余部
８８  工程離型紙の端縁部
【図１】
2014224329.tif 000003
【図２】
2014224329.tif 000004
【図３】
2014224329.tif 000005
【図４】
2014224329.tif 000006
【図５】
2014224329.tif 000007
【図６】
2014224329.tif 000008